(57)【要約】  電子端末を置き台に斜横方向から載置しても充電端子が保護され、かつ電子端末を置き台に載置し易い充電スタンドを提供することを目的とする。本発明の充電端子の保護機構は、一対の受電端子を有する電子端末を載置する置き台上に一対の受電端子に対応する位置に設けられた一対の充電端子の内側に、一対の退避ガードを有している。この一対の退避ガードは、電子端末が前面上方向から載置されたときには下側に退避して充電端子と受電端子を接触させ、電子端末が斜横方向から載置されたときは下側に退避しないで充電端子と受電端子を接触させずに、充電端子をガードする。これにより、電子端末が充電スタンドに斜横方向から載置しても、充電スタンドの充電端子を保護することができ、かつ電子端末を充電スタンドへ載置し易くなる。
2016103345.tif 000002
【特許請求の範囲】
【請求項１】
一対の受電端子を有する電子端末を載置する置き台上の前記一対の受電端子に対応する位置に設けられた一対の充電端子の保護機構であって、
前記一対の充電端子の内側に設けられ、前記電子端末が前面上方向から載置されたときには下側に退避して前記充電端子と前記受電端子を接触させ、前記電子端末が斜横方向から載置されたときは下側に退避しないで前記充電端子と前記受電端子を接触させずに、前記充電端子をガードする一対の退避ガードと、
を有することを特徴とする充電端子の保護機構。
【請求項２】
前記一対の退避ガードは、
前記退避ガードの外側の一端が前記置き台に設けられた支点により回転自在にそれぞれ固定され、前記退避ガードの内側の一端を互いに内側へ引っ張る弾性体が接続されていることを特徴とする請求項１に記載の充電端子の保護機構。
【請求項３】
前記退避ガードの形状は、略三角形状であり、
前記電子端末が前記置き台に載置されていない時には、前記略三角形が上に凸かつ底辺が水平になるように、前記退避ガードの内側の頂点同士が前記弾性体の引っ張り力により維持されることを特徴とする請求項２に記載の充電端子の保護機構。
【請求項４】
前記一対の充電端子の外側には、前記電子端末が斜横方向から載置されたときに前記電子端末の角部が前記充電端子に接触することを防ぐ一対の外ガードを有することを特徴とすることを特徴とする請求項１〜３のいずれか１項に記載の充電端子の保護機構。
【請求項５】
電子端末に内蔵された二次電池を充電する充電スタンドであって、
前記電子端末を載置する置き台と、
前記置き台上に、前記電子端末が有する一対の受電端子に対応する位置に設けられた一対の充電端子と、
前記一対の充電端子の内側に設けられ、前記電子端末が前面上方向から載置されたときには下側に退避して前記充電端子と前記受電端子を接触させ、前記電子端末が斜横方向から載置されたときは下側に退避しないで前記充電端子と前記受電端子を接触させずに、前記充電端子をガードする一対の退避ガードと、
を有することを特徴とする充電スタンド。
【請求項６】
前記一対の退避ガードは、
前記退避ガードの外側の一端が前記置き台に設けられた支点により回転自在にそれぞれ固定され、前記退避ガードの内側の一端に互いに内側へ引っ張り合う弾性体が接続されていることを特徴とする請求項５に記載の充電スタンド。
【請求項７】
前記一対の充電端子の外側には、前記電子端末が斜横方向から載置されたときに前記電子端末の角部が前記充電端子に接触することを防ぐ一対の外ガードを有することを特徴とする請求項５又は６に記載の充電スタンド。
【請求項８】
前記一対の外ガードは、前記電子端末と前記置き台との位置を確定する機能を有することを特徴とする請求項７に記載の充電スタンド。
【請求項９】
前記電子端末は、タブレット端末であり、
前記置き台は、前記タブレット端末に嵌合する形状であることを特徴とする請求項５〜８のいずれか１項に記載の充電スタンド。 
【発明の詳細な説明】
【技術分野】
【０００１】
本発明は、電子発注端末等のタブレット端末に内蔵されている二次電池を充電する充電スタンドの充電端子の保護機構、及びこの保護機構を備えた充電スタンドに関する。
【背景技術】
【０００２】
下記特許文献１には、一対の充電端子の両側に、タブレット端末が載置されたことを検出する一対の載置検出スイッチを設けた充電スタンドの構造が提案されている。又、下記特許文献２には、被充電機器の角部が充電端子にぶつかり充電端子が損傷するのを防ぐために、充電端子の周囲に保護突起を設けた構造が提案されている。ここで、タブレット端末とは、略長方形の形状であり、片面に操作を行うタッチパネルが付いた端末をいう。
【先行技術文献】
【特許文献】
【０００３】
【特許文献１】特開２０１４−１５３９７６号公報
【特許文献２】特開２０００−３４０３０２号公報
【発明の概要】
【発明が解決しようとする課題】
【０００４】
しかしながら、特許文献１及び２では、タブレット端末を斜横方向に充電スタンドに載置された場合の充電端子の保護は考慮されていない。即ち、特許文献１では、タブレット端末を前面上方向から載置することを想定しており、斜横方向から載置した場合には、タブレット端末の筐体の角部が充電端子に直接当たり、充電端子を損傷するおそれがある。又、特許文献２の充電端子の保護構造では、充電器に被充電機器を載置する方向が狭く、載置し難いという問題があった。【０００５】
そこで、本発明は、タブレット端末を斜横方向から載置しても充電端子が保護され、かつタブレット端末を載置し易い充電端子の保護機構、及びこの保護機構を備えた充電スタンドを提供することを目的とする。
【課題を解決するための手段】
【０００６】
本発明の第１側面の充電端子の保護機構は、一対の受電端子を有する電子端末を載置する置き台上の前記一対の受電端子に対応する位置に設けられた一対の充電端子の保護機構であって、前記一対の充電端子の内側に設けられ、前記電子端末が前面上方向から載置されたときには下側に退避して前記充電端子と前記受電端子を接触させ、前記電子端末が斜横方向から載置されたときは下側に退避しないで前記充電端子と前記受電端子を接触させずに、前記充電端子をガードする一対の退避ガードと、を有することを特徴とする。【０００７】
第２側面の充電スタンドは、電子端末に内蔵された二次電池を充電する充電スタンドであって、前記電子端末を載置する置き台と、前記置き台上に、前記電子端末が有する一対の受電端子に対応する位置に設けられた一対の充電端子と、前記一対の充電端子の内側に設けられ、前記電子端末が前面上方向から載置されたときには下側に退避して前記充電端子と前記受電端子を接触させ、前記電子端末が斜横方向から載置されたときは下側に退避しないで前記充電端子と前記受電端子を接触させずに、前記充電端子をガードする一対の退避ガードと、を有することを特徴とする。
【発明の効果】
【０００８】
本発明の充電端子の保護機構、及びこの保護機構を備えた充電スタンドによれば、電子端末が前面上方向から載置されたときには下側に退避して充電端子と受電端子を接触させ、電子端末が斜横方向から載置されたときは下側に退避しないで充電端子と受電端子を接触させずに、充電端子をガードする一対の退避ガードが、一対の充電端子の内側に設けられている。これにより、電子端末が充電スタンドに斜横方向から載置しても、充電スタンドの充電端子を保護することができ、かつ電子端末を充電スタンドへ載置し易くなる。
【図面の簡単な説明】
【０００９】
【図１】本発明の実施形態の充電スタンドの外観を示す斜視図
【図２】本発明の実施形態の充電端子の保護機構の構造を示す図
【図３】図２中の退避ガードの構造の一例及び動作を説明する図
【図４】従来の充電スタンドの外観を示す斜視図
【図５】従来の充電スタンドに斜横方向からタブレット端末が載置される様子をを説明する図
【図６】本発明の実施形態の充電スタンドに斜横方向からタブレット端末が載置される様子をを説明する図
【図７】本発明の実施形態の充電スタンドに横方向からスライドしてタブレット端末が載置される様子をを説明する図
【図８】本発明の実施形態の充電スタンドにタブレット端末が正しく載置された状態を説明する図
【発明を実施するための形態】
【００１０】
以下に本発明の実施形態について図面を参照しながら詳細に説明する。
【００１１】
（実施形態の構成）
図１には、図示しない電子端末に内蔵された二次電池を充電する本発明の実施形態の充電スタンド１０の外観が示されている。充電スタンド１０は、電子端末としてタブレット端末等を充電するのに好適な置き台１を有している。以下、電子端末は、タブレット端末であるとして説明する。
【００１２】
充電スタンド１０の有する置き台１には、図示しないタブレット端末の底面部に設けられている一対の受電端子に対応する位置に、一対の充電端子２が設けられている。置き台１の形状は、タブレット端末を前面上方向から載置し易いように、前の壁に較べ後ろの壁の高さを高くしたコの字形の横断面の形状をしている。
【００１３】
置き台１に設けられた一対の充電端子２の内側には、充電端子を保護するための一対の退避ガード３が設けられている。更に、一対の充電端子２の外側には、一対の充電端子２を保護するための一対の外ガード４が設けられている。尚、外ガイド４は、タブレット端末と充電スタンド１０との位置決めのガイドの役目も果たす。
【００１４】
図２は、本発明の実施形態の充電端子の保護機構の構造を示す図である。
図２は、置き台１の筐体を外した構造を示す図であり、一対の充電端子２の内側には、充電端子２よりも高さの高い一対の退避ガード３が設けられ、更に、一対の充電端子２の外側には、充電端子２及び退避ガード３よりも高さが高い外ガード４が設けられている。
【００１５】
タブレット端末が右斜横方向から載置されたときには、右側の退避ガード３及び外ガード４により右側の充電端子２が保護され、左斜横方向から載置されたときには、左側の退避ガード３及び外ガード４により左側の充電端子２が保護される構造になっている。
【００１６】
退避ガード３は、タブレット端末が充電スタンド１０の置き台１に、前面上方から載置されたときには、下側に退避し、斜横方向から載置されたときには、下側に退避せずに充電端子２をガードするように、置き台１に設けられた支点により回転自在に支持されている。
【００１７】
図３は、図２中の退避ガードの構造の一例及び動作を説明する図である。図３の退避ガードの構造は、一例に過ぎない。
【００１８】
退避ガード３は、図３に示されたように、例えば、上に凸な略三角形状をしている。各々の退避ガード３の外側の一端、例えば、頂点部分が置き台１に設けられた支点５により回転自在に保持されている。そして、一対の退避ガード３は、互いに鏡面対象な位置に配置され、タブレット端末が載置されていない時には、底辺が水平になるように、内側の頂点部分に設けられた孔６に接続された弾性体（バネ）７により内側に引っ張られる構造になっている。弾性体７の引っ張り力により、一対の退避ガード３の底辺が水平に保持されている。図３では、弾性体７はバネとして描かれているが、弾性体７はバネに限定されず、例えば、ゴム等でも良い。
【００１９】
図３において、タブレット端末が前面上方向から載置されると、退避ガード３は、支点５を中心に回転し、下方へ退避する。一方、タブレット端末が斜横方向から載置された場合には、支点５と力の作用点を結んだ垂線（モーメントアーム）の長さが短く、力のモーメントが小さくなるため、退避ガード３はほとんど下方に退避せずに充電端子２をガードする。
【００２０】
（実施形態の動作）
本発明の実施形態の充電端子の保護機構、及びこの保護機構を備えた充電スタンドについて、（Ｉ）従来の充電スタンドの構造と動作と、（II）本発明の実施形態の充電スタンドの動作と、に分けて説明する。
【００２１】
（Ｉ）従来の充電スタンドの構造と動作
図４は、従来の充電スタンドの外観を示す斜視図である。
【００２２】
従来の充電スタンド１０Ａは、タブレット端末を充電するのに好適な置き台１Ａを有している。充電スタンド１０Ａの有する置き台１Ａには、図示しないタブレット端末の底面部に設けられている一対の受電端子に対応する位置に、一対の充電端子１２が設けられている。一対の充電端子１２の外側には、タブレット端末と充電スタンド１０Ａとの位置決めをするための外ガイド１４が設けられている。
【００２３】
図５は、従来の充電スタンド１０Ａに斜横方向からタブレット端末２０Ａが載置される様子をを説明する図である。
【００２４】
図５を参照すると、タブレット端末２０Ａは、操作を行うためのタッチパネル２１と、内蔵されている二次電池に充電電流を供給する一対の受電端子２２を有している。タブレット端末２０Ａが充電スタンド１０Ａに、前面上方向から載置された場合には、一対の受電端子２２と充電スタンド１０Ａの一対の充電端子１２とが接触し、充電が行われる。
【００２５】
従来の充電スタンド１０Ａにタブレット端末２０Ａが斜横方向から載置されると、タブレット端末２０Ａの角部が充電端子１２に直接当たり、充電端子１２を破損する虞があることがわかる。
【００２６】
（II）本発明の実施形態の充電スタンドの動作
図６〜図８は、本発明の実施形態の充電スタンド１０にタブレット端末２０が載置される様子を説明する図であり、図６は斜横方向から載置される様子を説明する図、図７は横方向からスライドして載置される様子を説明する図、図８は充電スタンド１０にタブレット端末２０が正しく載置された状態を説明する図である。
【００２７】
図６には、タブレット端末２０は、斜右横方向から充電スタンド１０の置き台１に接近して来る様子が示されている。タブレット端末２０の左下角部が、退避ガード３に接触している。上述したように、退避ガード３は、斜横方向からの力に対しては下方向に退避しないので、左側の充電端子２をガードする。
【００２８】
図７には、タブレット端末２０が右から左方向へ外ガード４の上をスライドして載置される様子が示されている。外ガード４の高さは、充電端子２及び退避ガード３の高さより高いため、タブレット端末２０は充電端子２及び退避ガード３に触れることなく、右から左方向へスライドして行く。タブレット端末２０の底辺には、充電スタンド１０にタブレット端末２０が正しく載置されたときに、充電スタンド１０の外ガード４が収まる位置合わせ孔２３が設けられており、タブレット端末２０の位置合わせ孔２３が外ガード４に位置に来ると、位置合わせ孔２３と外ガード４とが嵌合して、タブレット端末２０が充電スタンド１０の正しく載置された状態となる。
【００２９】
図８には、タブレット端末２０が充電スタンド１０に正しく載置された状態が示されている。図８を見ると、外ガード４が位置合わせ孔２３に収まり、退避ガード３は下方に退避し、タブレット端末２０の一対の受電端子２２と充電スタンド１０の一対の充電端子２とが接触している。タブレット端末２０が充電スタンド１０に正しく載置されると、充電スタンド１０内の充電回路から出力される充電電流により、受電端子２２を介してタブレット端末２０内の図示しない二次電池が充電されることになる。
【００３０】
（実施形態の効果）
本発明の充電端子の保護機構によれば、一対の充電端子の内側に設けられ、電子端末が前面上方向から載置されたときには下側に退避して充電端子と受電端子を接触させ、電子端末が斜横方向から載置されたときは下側に退避しないで充電端子と受電端子を接触させずに、充電端子をガードする一対の退避ガードを有している。これにより、電子端末を載置される方向に関係なく、充電スタンドに載置しても、充電端子を保護することができる。
【００３１】
特に、図３に示した退避ガードの構造を採用することにより、少ない部品点数、かつ簡便な構造で充電端子の保護機構を構成することができる。
【００３２】
又、充電スタンド１０の置き台１上に、充電端子２及び退避ガード３の高さより高い外ガード４を設けたことにより、図７に示したように、真横から電子端末をスライドさせる方法によっても載置することが可能になる。
【００３３】
（変形例）
本発明の変形例として、以下の（ａ）〜（ｃ）のようなものが考えられる。
【００３４】
（ａ）  本発明の実施形態の説明では、電子端末はタブレット端末であるとして説明したが、タブレット端末以外の電子端末にも適用可能である。
【００３５】
（ｂ）  本発明の実施形態の説明では、電子端末の一対の受電端子及び充電スタンドの一対の充電端子として説明したが、受電端子及び充電端子は２つに限定されない。例えば、受電端子及び充電端子が３つあり、１つの端子により二次電池の種類を検出し、検出した種類に応じて充電制御を切り替える方式の充電スタンドにも適用可能である。
【００３６】
（ｃ）  本発明の実施形態の説明では、充電スタンドの一対の外ガードは、電子端末の位置合わせ孔に嵌合して位置合わせの役割りをすると説明したが、外ガードと電子端末に設ける位置合わせ孔との組合せにより、電子端末の種類を識別するようにしても良い。
【００３７】
以上、本発明の実施形態について説明したが、本発明は、以上に述べた実施形態に限定されるものではなく、本発明の趣旨を逸脱しない範囲内で種々の構成又は実施形態を取ることができる。
【符号の説明】
【００３８】
１，１Ａ                                      置き台
２，１２                                      充電端子
３                                            退避ガード
４                                            外ガード
５                                            支点
６                                            孔
７                                            弾性体（バネ）
１０，１０Ａ                                    充電スタンド
１４                                            外ガイド
２０，２０Ａ                                    電子端末（タブレット端末）
２１                                            タッチパネル
２２                                            受電端子
２３                                            位置合わせ孔
【図１】
2016103345.tif 000003
【図２】
2016103345.tif 000004
【図３】
2016103345.tif 000005
【図４】
2016103345.tif 000006
【図５】
2016103345.tif 000007
【図６】
2016103345.tif 000008
【図７】
2016103345.tif 000009
【図８】
2016103345.tif 000010
【国際調査報告】
2016103345.tif 000011
2016103345.tif 000012